(57)【特許請求の範囲】
【請求項１】
固定場所に対して底面を固定可能な長方形状の筐体と、
前記底面に対して垂直となる前記筐体の１側面に、少なくとも、前記底面に平行でかつ前記１側面に垂直な面または前記底面と前記１側面とに垂直となる面を含んだ範囲内で、その先端が円弧または球面に沿って移動するように回動可能に設けられたアンテナと、
前記アンテナが設けられた１側面に設けられた、電池を出入させる開口部と、
を備えた中継器。
【請求項２】
前記開口部は前記１側面の中央から偏った位置に設けられ、
前記アンテナは前記１側面の中央から前記開口部とは反対側に偏った位置に取り付けられた請求項１の中継器。
【請求項３】
前記底面は、前記筐体の長方形状において最も短い辺を含まない面のうちの一面であり、
前記１側面は前記筐体の長方形状において最も短い辺を含む面のうちの一面であることを特徴とする請求項１または２に記載した中継器。
【発明の詳細な説明】
【技術分野】
【０００１】
この発明は小電力中継器に係わり、特に、ＬＡＮ（構内通信網）に好適な小電力中継器に関する。
【背景技術】
【０００２】
従来の構内に設置された複数個のデータ端末装置と親機との間で通信するＬＡＮにおいて、データ端末装置と親機とをケーブルで接続するものは、データ端末装置の位置を変更する度にケーブルの移設工事を行わなければならず、多くの費用と手間や時間がかかっていた。
【０００３】
そこで、特開平６−１８８８２１号公報に無線により通信するＬＡＮが提案されている。この無線による通信で放射される電波の電力は電波法で出力が規制されている。そのため、親機から放射される電波が届かない場所が生じて中継装置（小電力中継器）が用いられている。
【０００４】
そのような小電力中継器の例を図３および図４により説明する。図３に示す小電力中継器６は長方形状の筐体に収納されており、筐体の底面が壁面または天井に固定される。アンテナ４は筐体の側面６ａに、筐体の底面に平行な面内で矢印で示すように回動自在に支持されている。
【０００５】
図３（ａ）は小電力中継器６を壁８に固定した場合を示しており、データ端末装置および親機との送受信感度高めるために、アンテナ４は矢印で示すように回動されてその姿勢が調整される。このようにアンテナ４を回動させることが可能となるように、小電力中継器６は壁９および天井１０から少し離れた位置に固定されている。
【０００６】
図３（ｂ）は小電力中継器６を筐体の側面６ｂを天井１０に近接させて壁８に固定した場合を示しており、アンテナ４を図の矢印で示すように回動させることが可能となるように、小電力中継器６は壁９から少し離れた位置に固定されている。
【０００７】
図３（ｃ）は小電力中継器６を筐体の側面６ｃおよび６ｂを夫々天井１０および壁９に近接させて壁８に固定した場合を示しており、アンテナ４を図の矢印で示すように回動させることが可能となる。
【０００８】
図３（ｄ）はアンテナ４を支持する筐体の側面６ａを壁９に向けて固定した場合を示しており、アンテナ４を図の矢印で示すように回動させることが可能となるように、小電力中継器６は壁９および天井１０から少し離れた位置に固定されている。
【０００９】
図４は従来の小電力中継器の他の例を示しており、図４に示す小電力中継器７は長方形状の筐体に収納されており、筐体の底面が天井または壁面に固定される。アンテナ４は筐体の側面７ａに、筐体の底面と垂直の面内で矢印で示すように回動自在に支持されている。図４に示した場合では、小電力中継器７の底面が天井１０に固定され、筐体の側面７ｃおよび７ｂが夫々壁８および壁９に近接するように配置されている。
【００１０】
小電力中継器は部屋のスペースを無駄にしないため、あるいは電波の届きにくい部屋の隅に電波を放射しやすいように上記のように、部屋の隅の天井近傍に配置される場合が多い。小電力中継器が電池を使用しない場合は、比較的に問題は生じないが、コンセントから電源コードを引くために、コンセントから離れた天井近傍に小電力中継器を取り付ける場合に不便である。
【００１１】
そこで、電源コードが不要となるように、小電力中継器内に電池を収容するものが用いられるようになった。このように、電池を使用する小電力中継器では、図３（ｂ）に示すように取り付けられる小電力中継器６では筐体の側面６ｂに電池を出入させる開口部があると小電力中継器６を壁８から取り外さないと電池の交換ができない。
【００１２】
また、図３（ｃ）に示すように取り付けられる小電力中継器６では筐体の側面６ｂまたは６ｃに電池を出入させる開口部があると、小電力中継器６を壁８から取り外さないと電池の交換ができない。
【００１３】
さらに、図４に示すように取り付けられる小電力中継器７では筐体の側面７ｂまたは７ｃに電池を出入させる開口部があると、小電力中継器７を天井１０から取り外さないと電池の交換ができない。
【００１４】
上記したように従来の小電力中継器では、取り付け方法によっては、電池交換が不便となることがあった。
【特許文献１】特開平６−１８８８２１号公報、段落０００９〜段落００１８、図１
【発明の開示】
【発明が解決しようとする課題】
【００１５】
この発明は上記した点に鑑みてなされたものであって、その目的とするところは、部屋の隅の天井近傍に取り付けた場合にも電池交換が容易に行える電池を内蔵した小電力中継器を提供することにある。
【課題を解決するための手段】
【００１６】
この発明の中継器は、固定場所に対して底面を固定可能な長方形状の筐体と、前記底面に対して垂直となる前記筐体の１側面に、少なくとも、前記底面に平行でかつ前記１側面に垂直な面または前記底面と前記１側面とに垂直となる面を含んだ範囲内で、その先端が円弧または球面に沿って移動するように回動可能に設けられたアンテナと、前記アンテナが設けられた１側面に設けられた、電池を出入させる開口部と、を備えたものである。
【００１７】
また、前記中継器において、前記開口部は前記側面の中央から偏った位置に設けられ、前記アンテナは前記側面の中央から前記開口部とは反対側に偏った位置に取り付けられたものである。
【００２０】
また、前記各中継器において、前記底面は、前記筐体の長方形状において最も短い辺を含まない面のうちの一面であり、前記１側面は前記筐体の長方形状において最も短い辺を含む面のうちの一面であることを特徴とするものである。
【発明の効果】
【００２１】
この発明の電池を内蔵した小電力中継器によれば、アンテナの姿勢が可変となるように取付けると、小電力中継器を取り外すことなく電池交換が容易に行える。
【発明を実施するための最良の形態】
【００２２】
以下この発明を実施するための最良の形態を実施例に即して説明する。
【実施例１】
【００２３】
図１に示すこの発明の実施例１である小電力中継器１は長方形状の筐体に収納されており、筐体の底面が壁面または天井に固定される。アンテナ４は筐体の側面１ａに、筐体の底面に平行な面内で矢印で示すように回動自在に支持されている。小電力中継器１は二次電池２を収納して使用されるが、図１においては二次電池２を出入方向に取り出した状態で示されている。
【００２４】
二次電池２を出入させる開口部１ｅは筐体の側面１ａに設けられている。従って、アンテナ４と二次電池２を出入させる開口部１ｅは筐体の同じ側面１ａに設けられているがこれらは互いに中心から反対方向に偏った位置に配置されている。電池カバー３は二次電池２を筐体内に収納した後、開口部１ｅを閉じるものである。このようにアンテナ４と二次電池２を出入させる開口部１ｅを配置することにより意匠が優れたものとなり、また、電池カバー３が突出する場合でもアンテナ４を広い範囲で回動させることができる。
【００２５】
図１（ａ）は小電力中継器１を壁８に固定した場合を示しており、アンテナ４は、データ端末装置および親機との送受信感度高めるために、矢印で示すように回動されてその姿勢が調整される。このようにアンテナ４を回動させることが可能となるように、小電力中継器６は壁９および天井１０から少し離れた位置に固定されている。このため、開口部１ｅの上方に空間が確保され小電力中継器１を壁８に固定した状態で容易に電池を交換することができる。
【００２６】
図１（ｂ）は小電力中継器１を筐体の側面１ｂを天井１０に近接させて壁８に固定した場合を示しており、アンテナ４を図の矢印で示すように回動させることが可能となるように、小電力中継器１は壁９から少し離れた位置に固定されている。この場合も開口部１ｅの下方に空間が確保され小電力中継器１を壁８に固定した状態で容易に電池を交換することができる。
【００２７】
図１（ｃ）は小電力中継器１を筐体の側面１ｃおよび１ｂを夫々天井１０および壁９に近接させて壁８に固定した場合を示しており、アンテナ４を図の矢印で示すように回動させることが可能となる。この場合も開口部１ｅの前方に空間が確保され小電力中継器１を壁８に固定した状態で容易に電池を交換することができる。
【００２８】
図１（ｄ）はアンテナ４を支持する筐体の側面１ａを壁９に向けて固定した場合を示しており、アンテナ４を図の矢印で示すように回動させることが可能となるように、小電力中継器１は壁９および天井１０から少し離れた位置に固定されている。この場合も開口部１ｅの前方に空間が確保され小電力中継器１を壁８に固定した状態で容易に電池を交換することができる。
【実施例２】
【００２９】
図２はこの発明の実施例２である小電力中継器を示しており、図２に示す小電力中継器５は長方形状の筐体に収納されており、筐体の底面が天井または壁面に固定される。アンテナ４は筐体の側面５ａに、筐体の底面と垂直の面内で矢印で示すように回動自在に支持されている。小電力中継器５は二次電池２を収納して使用されるが、図２においては二次電池２を出入方向に取り出した状態で示されている。二次電池２を出入させる開口部５ｅは筐体の側面５ａに設けられている。
【００３０】
従って、アンテナ４と二次電池２を出入させる開口部５ｅは筐体の同じ側面５ａに設けられているがこれらは互いに中心から反対方向に偏った位置に配置されている。電池カバー３は二次電池２を筐体内に収納した後、開口部５ｅを閉じるものである。図２に示した場合では、小電力中継器５の底面が天井１０に固定され、筐体の側面５ｂおよび５ｃが夫々壁９および壁８に近接するように配置されている。そして、開口部５ｅの前方に空間が確保され小電力中継器５を固定した状態で容易に電池を交換することができる。
【００３１】
実施例は以上のように構成されているが発明はこれに限られず、例えば、二次電池の替わりに乾電池を使用する小電力中継器にもこの発明を適用できる。
【００３２】
また、アンテナの先端が円弧に沿って移動するように回動可能とする代わりに球面に沿って移動するように回動可能としてもよい。
【図面の簡単な説明】
【００３３】
【図１】図１（ａ）はこの発明の実施例１である小電力中継器を示す斜視図、図１（ｂ）は同小電力中継器の他の状態を示す斜視図、図１（ｃ）は同小電力中継器のさらに他の状態を示す斜視図、図１（ｄ）は同小電力中継器のさらに他の状態を示す斜視図である。
【図２】この発明の実施例２である小電力中継器を示す斜視図である。
【図３】図３（ａ）は従来の小電力中継器の例を示す斜視図、図３（ｂ）は同小電力中継器の他の状態を示す斜視図、図３（ｃ）は同小電力中継器のさらに他の状態を示す斜視図、図３（ｄ）は同小電力中継器のさらに他の状態を示す斜視図である。
【図４】従来の小電力中継器の他の例を示す斜視図である。
【符号の説明】
【００３４】
１  小電力中継器、１ａ、１ｂ、１ｃ、１ｄ  側面、１ｅ  開口部
２  二次電池
３  電池カバー
４  アンテナ
５  小電力中継器、５ａ、５ｂ、５ｃ、５ｄ  側面、５ｅ  開口部
６  小電力中継器、６ａ、６ｂ、６ｃ、６ｄ  側面
７  小電力中継器、７ａ、７ｂ、７ｃ、７ｄ  側面
８、９  壁
１０  天井
【図１】
0005063219.tif 000002
【図２】
0005063219.tif 000003
【図３】
0005063219.tif 000004
【図４】
0005063219.tif 000005